(57)【特許請求の範囲】
【請求項１】
自転車側に着脱可能に取り付けられて、自転車の側面外方へ延びる支持アームと、該支持アームの先端に取り付けられて上部が開放されてサーフボード等の長尺物を挿入可能な保持枠部とを有する自転車用長尺物保持具において、
支持アームが着脱具によって自転車側に着脱可能に取り付けられており、
保持枠部を前記支持アームの延出方向と同じ方向に展開する展開位置と、前記支持アームの延出方向に対して略直角に折り畳む折畳位置とに変位させる折畳装置を有しており、
該折畳装置に、保持枠部を少なくとも前記展開位置に拘束する展開ロック部を設けてなることを特徴とする自転車用長尺物保持具。
【請求項２】
保持枠部が略Ｕ字形状からなっており、
折畳装置が、
前記保持枠部の一方の端部で上方へ延出する保持枠部と一体に形成された延出軸部と、該延出軸部に突設された杆状のロック部材と
支持アームの先端に設けられて前記延出軸部に外嵌し、前記延出軸部を昇降自在且つ回転自在に軸支する環状体と、
該環状体の上部に設けられた一対の受溝とからなっており、
前記保持枠部を上昇することで前記ロック部材を受溝から離間させて保持枠部を回転可能とし、所定位置で前記保持枠部を下降することで、前記ロック部材を受溝内に挿入させて、保持枠部を展開位置および折畳位置に拘束しうることを特徴とする請求項１に記載の自転車用長尺物保持具。
【請求項３】
折畳装置が、
支持アームの先端に、一方の構成片が断面アングル状からなって支持アームに対して直交して固着され、他方の構成片が前記一方の構成片に外嵌可能な断面アングル状からなって保持枠部の固着されたヒンジ部からなっており、
該ヒンジ部を展開することで保持枠部が折畳位置に変位し、ヒンジ部を折畳むことで保持枠部が展開位置に変位してなり、
該ヒンジ部に、ヒンジ部が折畳まれた際に前記一方の構成片と他方の構成片とを貫通して保持枠部の位置を拘束するロックピンを設け、
該ロックピンは、ロック方向に付勢されており、ロック解除方向に引っ張ることで保持具を折畳位置に変位しうることを特徴とする請求項１に記載の自転車用長尺物保持具。
【請求項４】
着脱具が、自転車側の軸部に着脱可能に固定する自転車軸用受部と、支持アームを固定する支持アーム用受部とを有しており、
支持アーム用受部は、支持アームを軸方向に摺動して自転車の外方への突出長さを長くする使用位置と、支持アームを逆方向に摺動させて、自転車の外方への突出長を短くする収納位置とに変位可能に支持する長さ調整機能を有してなることを特徴とする請求項１に記載の自転車用長尺物保持具。
【発明の詳細な説明】
【技術分野】
【０００１】
この発明は、サーフボード等の長尺物を自転車で搬送する際の保持具の改良に関する。
【背景技術】
【０００２】
従来、サーフボード等を自転車へのせる保持具であって、自転車の軸に着脱自在な保持具として、特開平８−２０７８５３号では、Ｕ字形の部分を持つ保持具の棒の先が２又に分かれ、２つの垂直な棒の部分を形成し、それが自転車の前後用に２つあり、自転車に各々２つの孔を持つさやが２つ装着され、その各々２つの垂直な棒の部分がその各々２つのさやの孔に着脱自在な、サーフボード等を自転車にのせる保持具が知られている。
上記構成では、保持具を使用しない時に、自転車から外すことができるが、再使用時には、再び自転車に取り付ける必要があり、着脱に手間がかかるという問題点があった。
また、一時的に長尺物を載せない場合には、保持具は自転車に取り付けたままなので、走行時には保持具が外方へ突出した状態となるので、近接する車や人と接触する虞れがあり、危険であった。
【特許文献１】特開平8-207853号
【発明の開示】
【発明が解決しようとする課題】
【０００３】
この発明は上記実情に鑑みてなされたもので、その主たる課題は、長尺物を保持しない場合には、保持枠部を自転車の側面に添って折り畳むことができるようにした自転車用長尺物保持具を提供することにある。
【課題を解決するための手段】
【０００４】
上記課題を解決するために、請求項１の発明では、
自転車側に着脱可能に取り付けられて、自転車の側面外方へ延びる支持アームと、該支持アームの先端に取り付けられて上部が開放されてサーフボード等の長尺物を挿入可能な保持枠部とを有する自転車用長尺物保持具において、
支持アームが着脱具によって自転車側に着脱可能に取り付けられており、
保持枠部を前記支持アームの延出方向と同じ方向に展開する展開位置と、前記支持アームの延出方向に対して略直角に折り畳む折畳位置とに変位させる折畳装置を有しており、
該折畳装置に、保持枠部を少なくとも前記展開位置に拘束するロック部を設けてなることを特徴とする。
また、請求項２の発明では、
前記保持枠部が略Ｕ字形状からなっており、
前記折畳装置が、
前記保持枠部の一方の端部で上方へ延出する保持枠部と一体に形成された延出軸部と、該延出軸部に突設された杆状のロック部材と
支持アームの先端に設けられて前記延出軸部に外嵌し、前記延出軸部を昇降自在且つ回転自在に軸支する環状体と、
該環状体の上部に設けられた一対の受溝とからなっており、
前記保持枠部を上昇することで前記ロック部材を受溝から離間させて保持枠部を回転可能とし、所定位置で前記保持枠部を下降することで、前記ロック部材を受溝内に挿入させて、保持枠部を展開位置および折畳位置に拘束しうることを特徴とする。
【０００５】
また、請求項３の発明では、
前記折畳装置が、
支持アームの先端に、一方の構成片が断面アングル状からなって支持アームに対して直交して固着され、他方の構成片が前記一方の構成片に外嵌可能な断面アングル状からなって保持枠部に固着されたヒンジ部からなっており、
該ヒンジ部を展開することで保持枠部が折畳位置に変位し、ヒンジ部を折畳むことで保持枠部が展開位置に変位してなり、
該ヒンジ部に、ヒンジ部が折畳まれた際に前記一方の構成片と他方の構成片とを貫通して保持枠部の位置を拘束するロックピンを設け、
該ロックピンは、ロック方向に付勢されており、ロック解除方向に引っ張ることで保持具を折畳位置に変位しうることを特徴とする。
更に、請求項４の発明では、
前記着脱具が、自転車側の軸部に着脱可能に固定する自転車軸用受部と、支持アームを固定する支持アーム用受部とを有しており、
支持アーム用受部は、支持アームを軸方向に摺動して自転車の外方への突出長さを長くする使用位置と、支持アームを逆方向に摺動させて、自転車の外方への突出長を短くする収納位置とに変位可能に支持する長さ調整機能を有してなることを特徴とする。
【発明の効果】
【０００６】
この発明は上記のように、長尺物を自転車に搭載しない場合には、自転車の外方へ突出する保持枠部を自転車の側面に添って折り畳むことができるので、保持枠部が突出せず、安全に自転車を走行することができる。
また、着脱具に、支持アームを軸方向に摺動させる機能を持たせることで、不使用時における支持アームの外方への突出長さも短くすることができる。
【発明を実施するための最良の形態】
【０００７】
この発明は、長尺物の保持枠部と支持アームの間に折畳装置
以下に、この発明の自転車用長尺物保持具をサーフボード保持用に適用した場合の好適な実施の形態について、図面を参照しながら説明する。
【実施例１】
【０００８】
自転車用長尺物保持具１、１’は、図５および図６に示すように、自転車５０の前方と後方のフレームに前後一対に且つ着脱可能に取り付けられており、自転車５０の一方の側面外方(図示例では運転者の右側）へ延びる支持アーム３と、該支持アーム３の先端に取り付けられて上部が開放されてサーフボードを挿入可能な保持枠部２とを有している。
図中、点線は、自転車に搭載されるサーフボード１００である。
【０００９】
前記支持アーム３は、着脱具２０によって、それぞれ自転車５０のフレームに着脱可能に取り付けられている。
この自転車用長尺物保持具１（１’も同じ）は、図１〜図３、図５〜図６に示すように保持枠部２を前記支持アーム３の延出方向と同じ方向に展開する展開位置と、図７〜図８に示すように前記支持アーム３の延出方向に対して略直角に折り畳む折畳位置とに変位させる折畳装置１０を有しており、該折畳装置１０に、前記保持枠部２を少なくとも前記展開位置に拘束するロック部１３を設けている。
【００１０】
［保持枠部］
保持枠部２は、一対の離間した縦杆部２ａ、２ｂが下端でつながっており、上部が開放された略Ｕ字形状の枠体からなっている。
本実施例で保持枠部２は、Ｕ字状に曲成されたパイプ２Ａにウレタンなどの筒状カバー２Ｂを外嵌したものであり、上端にはパイプの開口を閉じる樹脂製キャップ２Ｃが固着されて端部処理されている。
なお、図中５は、縦杆部２ａの上部に固定された先端にフックを有するゴム紐からなる落下防止用紐部材である。
【００１１】
［折畳装置］
折畳装置１０は、本実施例の場合、ロックピン１３を有するヒンジ部１１からなっている。
この折畳装置１０は、一対の構成片１１ａ、１１ｂが枢軸１２で枢着されて開閉するヒンジ部１１を有している。
【００１２】
ヒンジ部１１は、支持アーム３の先端に、断面アングル状からなる一方の構成片１１ａが支持アーム３に対して直交して固着されている。
また、他方の構成片１１ｂが前記一方の構成片１１ａに外嵌可能な断面アングル状からなって、保持枠部２の一方の縦杆部２ｂの上部に固着されている。
そこで、ヒンジ部１１を枢軸１２を支点に９０度回転することで、一対の構成片１１ａ、１１ｂが直角に開き、前記保持枠部２が支持アーム３の延出方向に対して略直角に曲がり、図７〜図８に示す折畳位置に変位する。
【００１３】
また、ヒンジ部１１を折畳み、前記一対の構成片１１ａ、１１ｂが重なることで、前記保持枠部２は支持アーム３の延出方向に曲がり、図１〜図２および図５〜図６に示す展開位置に変位して、サーフボード１００が搭載可能となる。
ここで、前記ヒンジ部１１には、ヒンジ部１１が折畳まれた際に、前記一方の構成片１１ａとこれに重なっている他方の構成片１１ｂとを貫通して保持枠部２の位置を拘束するロックピン１３が設けられている。
【００１４】
図示例でロックピン１３は、一方の構成片１１ａに上下に貫通しており、アングルの内側には一端がロックピン１３に掛け止められたコイルスプリング１４が介装されてロックピン１３を下方に突出させるべく付勢している。
従って、ヒンジ部１１が折り畳まれて、前記一方の構成片１１ａに外嵌された他方の構成片１１ｂの下側のフランジに、前記ロックピン１３を突入させる孔(図示せず)を設けておくことで、前記ロックピン１３で一対の構成片１１ａ、１１ｂ間を貫通させ、ヒンジ部１１を折畳んだ状態でロックすることができる。
【００１５】
これにより、保持枠部２は使用可能な展開位置でロックされる。
次に、ヒンジ部１１を開く場合は、ロックピン１３を上向きに引っ張ることで、その下端を他方の構成片１１ｂの孔から抜け出させてフリーの状態として展開位置に変位させる。
これにより、保持枠部２を折畳位置に変位させることができる。
【実施例２】
【００１６】
図９および図１０に示す自転車用長尺物保持具１は、折畳装置１０を異なる構成とした別の実施例を示す。
この場合、保持枠部２や支持アーム３は、前記実施例と同様であるので、その説明を省略する。
【００１７】
折畳装置１０は、前記保持枠部２の一方の縦杆部２ｂでパイプ２Ａの延長方向で、前記筒状カバー２Ｂから突出して略垂直に延びる延出軸部１５が形成されており、その上端に樹脂製キャップ２Ｃが固着されている。
前記延出軸部１５には、その上部に杆状のロック部材１６が外向きに一体に突設されている。
【００１８】
一方、前記支持アーム３の先端には、前記延出軸部１５に外嵌し、該延出軸部１５を上下に摺動させ、また延出軸部１５を旋回可能に軸支する円筒状の環状体１７が取り付けられている。
該環状体１７の上部には、略９０度間隔で、上端が開放されたＵ字孔からなる一対の受溝１８ａ、１８ｂが形成されている。
【００１９】
そこで、本実施例では、延出軸部１５を介して前記保持枠部２を支持アーム３即ち環状体１７に対して相対的に上昇させることで、前記ロック部材１６は環状体１７の受溝１８ａまたは１８ｂから抜け出て離間するので延出軸部１５を介して保持枠部２はフリーとなる。
【００２０】
そこで保持枠部２を環状体１７内で軸線を中心に回転させて所定位置（保持枠部２の展開位置または折畳位置）とし、延出軸部１５を介して前記保持枠部２を支持アーム３即ち環状体１７に対して相対的に下降させることで、前記ロック部材１６を受溝１８ａまたは１８ｂに没入させて、保持枠部２を所定位置に拘束することができる。
【００２１】
図示例では、環状体１７の後方で支持アーム３との固着側に、保持枠部２の展開時のロック用の受溝１８ｂが形成され、９０度間隔で離間した側方に保持枠部２の折畳時のロック用の受溝１８ｂａが形成されている。
この実施例では、受溝が環状体１７の上端で開放するＵ字溝とした場合を例示したが、上端を開放せず、一対の受溝１８ａ、１８ｂの上端を結んでロック部材１６の回転をガイドするよう横倒コ字状の孔を形成するものであってもよい。
【００２２】
［着脱具］
前記支持アーム３は、着脱具２０によって自転車５０の軸等に着脱可能に取り付けられる。
この支持アーム３は、が、使用時には所定の長さだけ外方へ突出させる必要があるが、不使用時に保持枠部２を折畳むと共に、支持アーム３の突出長さを短くする方向へスライドできれば、自転車５０からの突出量を更に抑えることができて安全である。
【００２３】
そこで、着脱具２０には、支持アーム３を伸縮可能にスライドし、所望の位置（使用位置と収納位置）で固定する長さ調整機構を設けることが好ましい。
図１１〜図１３に示す着脱具２０は、開口を下向きにした断面半円形状の受部２１ａと該受部２１ａの両側に延びる一対のフランジ２１ｂ、２１ｃとからなって、支持アーム３の上半分を保持する平面視略正方形状の第１受板２１を最上部に有している。
【００２４】
次に、開口を上向きにした断面半円形状の受部２２ａと該受部２２ａの両側に延びるフランジ２２ｂ、２２ｃとからなって、支持アーム３の下半分を保持し、前記第１受板２１の下に対向して配置して第１受板２１と共に支持アーム３を保持して支持アーム用受部を構成する平面視略正方形状の第２受板２２が設けられている。
【００２５】
また、開口を下向きにした断面半円形状の受部２３ａと該受部２３ａの両側に延びるフランジ２３ｂ、２３ｃとからなって、前記第２受板２２の下で、受部２３ａを直角に交叉する向きに配置して自転車５０の取付用の軸の上半分を保持する平面視略正方形状の第３受板２３が設けられている。
【００２６】
更に、開口を上向きにした断面半円形状の受部２４ａと該受部２４ａの両側に延びるフランジ２４ｂ、２４ｃとからなって、自転車５０の取付用の軸の下半分を保持し、前記第３受板２３の下に対向して配置して、第３受板２３と共に自転車５０の取付用の軸を保持して自転車軸用受部を構成する平面視略正方形状の第４受板２４が設けられている。
【００２７】
前記第２受板２２と第３受板２３との間で４個所のコーナ部に筒状のスペーサ２５を立設して挿入しており、前記第１受板２１からスペーサ２５を介して第４受板２４までネジ２７を貫通させている。
そして、第１受板２１と第２受板２２の受部に添う一方(図中右側）のフランジ２１ｂ、２２ｂの２個所のコーナーと、これに対応する第３受板２３と第４受板２４の左右両側のフランジの一方側(図示例では右側）の２個所のコーナーに挿入されたネジ２７は、その上下の両端をナット２６、２８で緊締し固定する。
【００２８】
次に、第１受板２１と第２受板２２の受部２１ａ、２２ａに添う他方(図中左側)のフランジ２１ｃ、２２ｃの２個所のコーナーと、これに対応する第３受板２３と第４受板２４の左右両側のフランジの左側の２個所のコーナーに挿入されたネジ２７は、その下端はナット２６で緊締されており、上端は円柱状の支持軸部３１に螺合している。
【００２９】
該支持軸部３１には、第１受板２１のフランジ面２１ｃと衝合する回転部３２を備えた操作レバー３０が取り付けられている。
前記回転部３２にはその外周にカム面Ｋが形成されている。
そこで、図１３に示すように、該操作レバー３０を、第１受板２１の受部２１ａを跨いで対応するフランジ側２１ｂまで押し下げることで、前記カム面Ｋが厚肉側に変位しフランジ面２１ｃに強く押し付けて、ネジ２７を緊締し、支持アーム３をロックする(図１３参照）。
【００３０】
また、図１２に示すように、操作レバー３０を押し上げて回転部３２を逆方向に回するとカム面Ｋが薄肉側に変位して前記固定を解除し、支持アーム３をその軸方向に伸縮摺動した所望の位置で拘束することができる。
これによって、自転車５０から外方へ突出する支持アーム３の一方への突出長さを短くすることができる。
【００３１】
上記実施例では、長尺物としてサーフボードを例に説明したが、その他のボード類や細長いものなどを自転車に搭載する場合であってもよい。
また、折畳装置や着脱具の構造は、前記実施例に限定されるものではなく、要するにこの発明の要旨を変更しない範囲で種々設計変更しうること勿論である。
【図面の簡単な説明】
【００３２】
【図１】実施例１の自転車用長尺物保持具の展開姿勢を示す正面図である。
【図２】同平面図である。
【図３】同側面図である。
【図４】折畳時の折畳装置を示す拡大図である。
【図５】自転車用長尺物保持具の展開姿勢を示す自転車の側面図である。
【図６】同正面図である。
【図７】自転車用長尺物保持具の折畳姿勢を示す自転車の側面図である。
【図８】同正面図である。
【図９】実施例２の自転車用長尺物保持具の展開姿勢を示す背面図である。
【図１０】実施例２の自転車用長尺物保持具の折畳段階を示す正面図である。
【図１１】着脱具の斜視図である。
【図１２】着脱具の支持アームロック解除状態の側面図である。
【図１３】着脱具の支持アームロック態勢の側面図である。
【符号の説明】
【００３３】
１    自転車用長尺物保持具
２    保持枠部
３    支持アーム
１０    折畳装置
１１    ヒンジ部
１１ａ、１１ｂ  一対の構成片
１３    ロックピン
１５    延出軸部
１６    ロック部材
１７    環状体
２０    着脱具
５０    自転車
１００    サーフボード
【図１】
0005140456.tif 000002
【図２】
0005140456.tif 000003
【図３】
0005140456.tif 000004
【図４】
0005140456.tif 000005
【図５】
0005140456.tif 000006
【図６】
0005140456.tif 000007
【図７】
0005140456.tif 000008
【図８】
0005140456.tif 000009
【図９】
0005140456.tif 000010
【図１０】
0005140456.tif 000011
【図１１】
0005140456.tif 000012
【図１２】
0005140456.tif 000013
【図１３】
0005140456.tif 000014